(57)【要約】【課題】布を人の首から落ちないように保持することができ、かつ、保持している布の端末の可動範囲を広げることが可能な布保持具を提供する。【解決手段】布保持具１００は、人の首の後部及び両側部を覆うようにして人の首に掛けることができる本体部１０１と、タオル１を固定するための固定部１０２・１０４と、を備え、タオル１が固定部１０２・１０４で固定された状態で、本体部１０１がタオル１を介して人の首に掛けられることで、タオル１が、本体部１０１と、人の首の後部及び両側部と、の間に保持される。【選択図】図５
2017048480.tif 000002
【特許請求の範囲】
【請求項１】
人の首の後部及び両側部を覆うようにして人の首に掛けることができる本体部と、
布を固定するための固定部と、を備え、
前記布が前記固定部で固定された状態で、前記本体部が前記布を介して人の首に掛けられることで、前記布が、前記本体部と、人の首の後部及び両側部と、の間に保持されることを特徴とする、
布保持具。
【請求項２】
前記本体部の長手方向の両端部には延設部がそれぞれ設けられ、
前記本体部が人の首に掛けられている状態のときに、前記各延設部は、人の前側で垂れ下がり、前記人が着ている服の表面部に固定することができることを特徴とする、
請求項１に記載の布保持具。
【請求項３】
前記各延設部は、所定値以上の力が加わったときに前記本体部からそれぞれ外れることを特徴とする、
請求項２に記載の布保持具。
【請求項４】
前記各延設部には、人の首に掛けられている前記布の端末を引っ掛けることができる端末固定部がそれぞれ設けられることを特徴とする、
請求項２又は請求項３に記載の布保持具。
【請求項５】
前記本体部の長手方向の両端部の開度を変更するための変更機構を備えることを特徴とする、
請求項１〜請求項４のいずれか一項に記載の布保持具。
【請求項６】
前記本体部は、その長手方向の寸法を変更可能であることを特徴とする、
請求項１〜請求項５のいずれか一項に記載の布保持具。
【請求項７】
前記本体部には、液体、及び／又は、保冷剤を収容することができる収容部が形成されることを特徴とする、
請求項１〜請求項６のいずれか一項に記載の布保持具。
【請求項８】
前記本体部が人の首の後部及び両側部を覆うようにして人の首に掛けられている状態で、前記本体部を、人が着ている服に固定するための服固定部が設けられることを特徴とする、
請求項１〜請求項７のいずれか一項に記載の布保持具。
【発明の詳細な説明】
【技術分野】
【０００１】
本発明は、布保持具に関する。
【背景技術】
【０００２】
首に汗拭き用のタオルを掛けている状態で、登山を行うことがある。このとき、タオルが首から落ちそうになることがある。
従来、人の首に掛けられているタオルを、人の首から落ちないように保持する技術は公知である（例えば、特許文献１）。
【０００３】
特許文献１に記載の技術は、保持帯１・２で人の首に掛けられているタオル３を保持するものである。
しかし、タオル３が短い場合は、タオル３の端末が保持帯１・２まで届かず、タオル３を保持することができない。
また、タオル３の端末が保持帯１・２まで届いたとしても、タオル３の端末が保持帯１・２で拘束されて、タオル３の端末の可動範囲が制限される。これにより、人が、首に掛けられているタオル３の端末を把持して、額等を拭こうとしても、保持帯１・２が邪魔で困難となる。
【先行技術文献】
【特許文献】
【０００４】
【特許文献１】実開昭６２−７５０１０号公報
【発明の概要】
【発明が解決しようとする課題】
【０００５】
本発明は、布を人の首から落ちないように保持することができ、かつ、保持している布の端末の可動範囲を広げることが可能な布保持具を提供する。
【課題を解決するための手段】
【０００６】
請求項１に記載の布保持具は、
前記本体部は、人の首回り方向に長手の湾曲形状を有し、前記本体部の長手方向の両端部が非連続に構成され、
前記本体部が人の首に掛けられたときに、前記本体部の長手方向の両端部が人の首の前側に存在し、
前記固定部は、前記本体部の長手方向の両端部に布を固定する端側固定部を有する。
【０００７】
請求項２に記載の布保持具においては、
前記本体部の長手方向の両端部には延設部がそれぞれ設けられ、
前記本体部が人の首に掛けられている状態のときに、前記各延設部は、人の前側で垂れ下がり、前記人が着ている服の表面部に固定することができる。
【０００８】
請求項３に記載の布保持具においては、
前記各延設部は、所定値以上の力が加わったときに前記本体部からそれぞれ外れる。
【０００９】
請求項４に記載の布保持具においては、
前記各延設部には、人の首に掛けられている前記布の端末を引っ掛けることができる端末固定部がそれぞれ設けられる。
【００１０】
請求項５に記載の布保持具においては、
前記本体部の長手方向の両端部の開度を変更するための変更機構を備える。
【００１１】
請求項６に記載の布保持具においては、
前記本体部は、その長手方向の寸法を変更可能である。
【００１２】
請求項７に記載の布保持具においては、
前記本体部には、液体、及び／又は、保冷剤を収容することができる収容部が形成される。
【００１３】
請求項８に記載の布保持具においては、
前記本体部が人の首の後部及び両側部を覆うようにして人の首に掛けられている状態で、前記本体部を、人が着ている服に固定するための服固定部が設けられる。
【発明の効果】
【００１４】
本発明によれば、布が固定部で固定された状態で、本体部が布を介して人の首に掛けられることで、布が、本体部と、人の首の後部及び両側部と、の間に保持される。これにより、布を人の首から落ちないように保持することが可能となる。
また、布が、本体部と、人の首の後部及び両側部と、の間に保持されることで、布の両端末が人の前側で互いに独立して垂れ下がる。これにより、布の端末の可動範囲を広げることが可能となる。その結果、人が、布の端末を把持して額等の汗を拭くことに利用することが可能となる。
【図面の簡単な説明】
【００１５】
【図１】布保持具の正面図。
【図２】布保持具の背面図。
【図３】布保持具の上面図。
【図４】布保持具にタオルを装着した状態を示す正面図。
【図５】布保持具を用いてタオルを首に掛けた人を示す正面図。
【図６】延設部の端末固定部を示す正面図。
【図７】布保持具の本体部に変更機構を設けたときの背面図。
【図８】（ａ）変更機構により本体部の開度を小さくした状態を示す上面図、（ｂ）変更機構により本体部の開度を大きくした状態を示す上面図。
【図９】（ａ）本体部とは別体の延設部を示す正面図、（ｂ）本体部とは別体の延設部を示す正面図。
【図１０】（ａ）本体部の長手方向の寸法を変更可能にするための構成を示す正面図、（ｂ）本体部の長手方向の寸法を変更可能にするための構成を示す正面図。
【図１１】（ａ）収容部を示す正面図、（ｂ）収容部を示す正面図。
【図１２】（ａ）収容部の側面断面図、（ｂ）収容部の側面断面図、（ｃ）収容部及び通気孔の側面断面図。
【図１３】（ａ）服固定部を示す背面図、（ｂ）服固定部を示す側面図。
【図１４】布保持具の変形例を示す正面図。
【図１５】布保持具の変形例を示す正面図。
【図１６】（ａ）図９（ａ）の延設部にホイッスルが取り付けられた状態を示す図、（ｂ）図９（ｂ）の延設部にホイッスルが取り付けられた状態を示す図。
【発明を実施するための形態】
【００１６】
布保持具１００は、タオル１等の布が人の首に掛けられている状態を保持するためのものである。布保持具１００は、例えば、登山時に用いられる。布保持具１００が保持するタオル１等の布は、例えば、汗拭き用の布である。布保持具１００は、例えば樹脂で構成される。なお、布保持具１００を抗菌材料樹脂で構成すれば、布保持具１００の清潔性を向上させることができる点で有利である。
図１〜図３に示すように、布保持具１００は、本体部１０１と、中央固定部１０２と、延設部１０３と、端側固定部１０４と、を備える。
【００１７】
本体部１０１は、人の首の後部及び両側部を覆うようにして人の首に掛けることができる。本体部１０１は、人の首回りに沿うように形成される。本体部１０１は、人の首回り方向に長手の湾曲形状を有し、長手方向Ｌの両端部１０１ｄが非連続に構成される。これにより、本体部１０１の長手方向Ｌの両端部１０１ｄの間には空所１０１ａが形成される。本体部１０１が人の首に掛けられたときに、本体部１０１の長手方向Ｌの両端部１０１ｄは人の首の前側に存在している（図５参照）。
本体部１０１は、弾性変形可能に構成され、弾性変形することで長手方向Ｌの両端部１０１ｄの開度（両端部１０１ｄの間の空所１０１ａの幅寸法）Ｘを変更することができる（図３参照）。本体部１０１は、人の力で弾性変形されることができる。これにより、人の力で開度Ｘが変更されて、その結果、本体部１０１が人の首に掛けられたり、首から外されたりすることができる。本体部１０１は、人の首に掛けられている場合は、人が登山等で歩行をしているときや、着座等のために姿勢を変更したときでも、弾性変形して人の首から外れてしまうことを抑止でき、人の首の後部及び両側部を覆うようにして人の首に掛けたれた状態を保持することができる所定の保持力（弾性力）を有する。また、本体部１０１の開度Ｘは、人の首の径よりも小さい。また、本体部１０１の長手方向Ｌの寸法Ｍは、人の首周りの全周の寸法Ｎの半分よりも大きい（Ｍ＞Ｎ／２）。
本体部１０１が人の首に掛けられることで、首回りを保護することが可能となり、日射による首回りの日焼けを防ぐことが可能となる。
なお、本体部１０１の高さ（本体部１０１が直立の人の首に掛けられたときの、本体部１０１の上下幅の寸法）は、図１、図２に示されるものに限定されず、使用状況に応じて設定してもよい。例えば、本体部１０１の高さを延設部１０３の幅と同じくらいにして、本体部１０１と延設部１０３を略同幅に構成し、布保持具１００をシンプルに構成してもよい。また、本体部１０１の高さを延設部１０３の幅よりも大きくして、本体部１０１が人の首を覆う領域を広くすることで、本体部１０１の日射しを遮る機能を向上させてもよい。
【００１８】
図１及び図２に示すように、本体部１０１には中央固定部１０２が形成される。中央固定部１０２は、タオル１を布保持具１００に固定するためのものである。本実施形態では、中央固定部１０２は、タオル１を本体部１０１の長手方向Ｌの中央側に固定する。中央固定部１０２は、本体部１０１を厚み方向に貫通している切れ目である。中央固定部１０２は、鋸歯状に形成される。なお、中央固定部１０２の形状は鋸歯状に限定されず、＊状等であってもよい。図４（ａ）に示すように、中央固定部１０２には、タオル１の上部１ａを挿通させることができる。タオル１の上部１ａは、中央固定部１０２に挿通されることで、中央固定部１０２の切れ目で挟まれて、本体部１０１に固定される。
【００１９】
図１〜図３に示すように、本体部１０１の長手方向Ｌの両端部１０１ｄには、板状の延設部１０３がそれぞれ設けられる。本体部１０１が人の首に掛けられている状態のときに、各延設部１０３は、両肩から人の前側へ垂れ下がる（図５参照）。各延設部１０３には、人の着ている服の表面部に固定されるための延設部固定部１０３ａがそれぞれ形成される。延設部固定部１０３ａは、延設部１０３を厚み方向に貫通している切れ目である。延設部固定部１０３ａは、延設部１０３の先端側に形成される。延設部固定部１０３ａは、鋸歯状に形成される。
本体部１０１が人の首に掛けられている状態のときに、各延設部固定部１０３ａに人の着ている服の一部が挿通されることで、各延設部固定部１０３ａの切れ目で服が挟まれ、これにより、各延設部１０３が服に固定される。その結果、布保持具１００が人からより外れにくくなり、布保持具１００をより強固に装着できる。
【００２０】
上記のように、本体部１０１が人の首に掛けられている状態のとき、各延設部１０３は、両肩から人の前側へ垂れ下がり、人が各延設部１０３を確認しやすい状態になる。これにより、人が服の一部を各延設部固定部１０３ａに挿通するときに、エルゴノミクス的に好ましい姿勢を確保でき、容易に服の一部を挿通することができる。
【００２１】
図１及び図２に示すように、本体部１０１の長手方向Ｌの各端部１０１ｄから各延設部１０３に亘って、端側固定部１０４がそれぞれ形成される。端側固定部１０４は、タオル１を布保持具１００に固定するためのものである。本実施形態では、端側固定部１０４は、タオル１を本体部１０１の長手方向Ｌの両端部１０１ｄに固定する。端側固定部１０４は、本体部１０１と延設部１０３との連結部の周辺箇所を厚み方向に貫通している切れ目である。端側固定部１０４は線状、又は一定幅の溝状（不図示）に形成される。端側固定部１０４には、タオル１を挿通することができる。端側固定部１０４の幅は、挿通するタオル１の厚さを考慮して決定され、挿通するタオル１が厚い場合は前記幅が広く形成され、挿通するタオル１が薄い場合は前記幅が狭く形成される。
図４（ｂ）に示すように、タオル１の各端末１ｂが、各端側固定部１０４に内側（人に対向する側）から外側に向かって挿通されることで、タオル１の各端末１ｂ側が各端側固定部１０４の切れ目で挟まれて固定される。これにより、タオル１が本体部１０１の長手方向Ｌの両端部１０１ｄに固定される。このとき、タオル１の中央側を、本体部１０１の内側の面（人の首に対向する側の面）に沿わせて配置することができる。また、このとき、図４（ａ）に示すように、タオル１の上部１ａを、本体部１０１の上方から外側に回り込ませて、中央固定部１０２に挿通させることで、タオル１の中央側が本体部１０１に固定される。
このように、タオル１を、端側固定部１０４と中央固定部１０２の両方を用いて固定することで、タオル１が布保持具１００から外れにくくなり、タオル１を布保持具１００に確実に装着することが可能となる。
【００２２】
図４（ａ）〜図５に示すように、布保持具１００においては、タオル１が固定部１０２・１０４で固定された状態で、本体部１０１がタオル１を介して人Ｈの首Ｈ１に掛けられることで、タオル１が、本体部１０１と、人Ｈの首Ｈ１の後部及び両側部と、の間に保持される。このとき、本体部１０１の前記所定の保持力が作用することと、本体部１０１の開度Ｘが人Ｈの首Ｈ１の径よりも小さいことにより、本体部１０１が人Ｈの首Ｈ１から落ちることを抑止でき、タオル１が人Ｈの首Ｈ１に掛けられている状態を保持できる。これにより、タオル１が人の首に掛けられた状態から落ちたり位置ズレしたりすることを防ぐことが可能となる。
また、端側固定部１０４によりタオル１を本体部１０１の長手方向Ｌの両端部１０１ｄに固定することで、タオル１を人Ｈの首Ｈ１の前側まで持ってきて巻き付けることができる（図５参照）。これにより、タオル１が人Ｈの首Ｈ１に巻きつく領域を拡大させることができる。
また、このとき、タオル１の長手方向の中央側１ｃが本体部１０１と人Ｈの首Ｈ１の間に存在し、人Ｈの首Ｈ１の後部及び両側部に沿うようにして人Ｈの首Ｈ１に掛けられた状態になる。これにより、人Ｈの首Ｈ１周りの汗を、タオル１の中央側１ｃで吸収することが可能となる。
また、このとき、タオル１の長手方向の両端末１ｂが人Ｈの前側で互いに独立して垂れ下がり、フリーな状態になる。これにより、タオル１の端末１ｂの可動範囲を広げることが可能となる。その結果、人Ｈが、タオル１の端末１ｂを把持して、額等の汗を拭くことに利用することが可能となる。
【００２３】
布保持具１００は、市販のタオル１を用いることができ、用いるタオル１に加工を施す必要がない。これにより、タオル１を交換する場合でも既製品のタオル１で対応することができ、利便性の点で有利である。
また、布保持具１００に使用されるタオル１は、両方の端側固定部１０４に届く程度の長さを有していればよく、比較的短いタオル１でも使用するこができる。
【００２４】
なお、本実施形態では本体部１０１に中央固定部１０２を形成したが、中央固定部１０２を形成しなくてもよい。この場合、タオル１を本体部１０１に巻き付けるようにして装着する。この場合、タオル１は、両方の端側固定部１０４のみにより布保持具１００に固定されることになる。なお、本実施形態のように、端側固定部１０４のみならず、中央固定部１０２も形成した方が、タオル１をより強固に布保持具１００に固定でき、タオル１をより強固に支持できる点で有利である。また、中央固定部１０２によりタオル１を固定することで、タオル１を首に万遍なく接触させることができ、タオル１の吸汗性、接触感覚を向上させることができる点で有利である。
【００２５】
また、延設部１０３を設けずに、本体部１０１のみを人の首に掛けるように構成してもよい。この場合、端側固定部１０４は本体部１０１に形成されることとなる。
【００２６】
また、図６に示すように、各延設部１０３に、人の首に掛けられているタオル１の端末１ｂを引っ掛けることができる端末固定部１０３ｂをそれぞれ設けてもよい。各端末固定部１０３ｂは、各延設部１０３を厚み方向に貫通している切れ目であり、略Ｕ字状に形成される。
本体部１０１を介して人の首にタオル１が掛けられたとき、タオル１の端末１ｂが人の前側（胸の前部付近）で垂れ下がった状態になる。このとき、タオル１の端末１ｂを、端末固定部１０３ｂに挿入することができるように構成される。このときに、タオル１の端末１ｂが端末固定部１０３ｂに挿入されることで、タオル１の端末１ｂが端末固定部１０３ｂで挟まれて固定される。その結果、タオル１の端末１ｂが揺れないように保持される。これにより、人が歩行等の動作を行っている時にタオル１の端末１ｂが揺れて邪魔になったり、障害物に引掛かかったりすることを防ぐことが可能である。
なお、汗を拭く場合等、タオル１の端末１ｂを用いるときは、人はタオル１の端末１ｂを端末固定部１０３ｂから引き抜いて使用すればよい。タオル１の使用後は、人はタオル１の端末１ｂを端末固定部１０３ｂに挿入することで、タオル１の端末１ｂが邪魔になることなく、円滑に歩行等の動作を継続できる。
なお、端末固定部１０３ｂと端側固定部１０４を一つにまとめて、端末固定部１０３ｂと端側固定部１０４の両方の機能を有する単一の切れ目１０９を形成して、切れ目１０９を各延設部１０３にそれぞれ設けてもよい。図１４及び図１５は、切れ目１０９の形状の一例を示している。図１４の切れ目１０９は、図６の端末固定部１０３ｂを大きくした形状を有し、図１５の切れ目１０９は、端末固定部１０３ｂと端側固定部１０４を合わせたような形状を有する。これにより、端末固定部１０３ｂ・１０４を別々に設ける必要がなく、装置構成を簡素化することが可能となる。
また、本体部１０１に、カメラ、スマートフォン、携帯電話等の携帯機器のストラップを留めるための携帯機器用の切れ目１１０を形成してもよい（図１４参照）。切れ目１１０の形状は特に限定されず、鋸歯状や、＊状であってもよい。本実施形態では、携帯機器用の切れ目１１０は、４か所設けられ、本体部１０１の長手方向Ｌの両端部１０１ｄと、中央固定部１０２の両側方にそれぞれ設けられる。なお、携帯機器用の切れ目１１０の設置数や設置個所は本実施形態のものに限定されない。これにより、携帯機器を手で持つことなく、本体部１０１で保持することが可能となり、布保持具１００の利便性が向上する。また、本体部１０１の内側にタオル１が配置され、人の首周りがタオル１で覆われるので、切れ目１１０に留められた携帯機器のストラップが首に食いこむことを、タオル１で防ぐことが可能となる。
また、各延設部１０３の先端部に、携帯機器のストラップを通すための孔１１５を形成してもよい（図１４参照）。これにより、ストラップを介して携帯機器を延設部１０３に取り付けることができ、携帯機器を手で持つことなく、延設部１０３で保持することが可能となり、布保持具１００の利便性が向上する。なお、孔１１５はカラビナ状の留め具等（不図示）でもよい。すなわち、前記留め具等を介して携帯機器を延設部１０３に取り付けることができるように構成してもよい。
【００２７】
また、図１、図２、及び図６本体部１０１に通気孔１０５を形成してもよい。これにより、人の首に掛けられているタオル１を、通気孔１０５を介して外気に触れさせることができ、タオル１の乾燥を促進させることが可能となる。
【００２８】
また、図７〜図８（ｂ）に示すように、本体部１０１の長手方向Ｌの両端部１０１ｄの開度（両端部１０１ｄの間の空所１０１ａの寸法）Ｘを調整可能に構成してもよい。以下では、本体部１０１の長手方向Ｌの両端部１０１ｄの開度Ｘを調整するための機構の一例である変更機構１０８について説明する。
本体部１０１の外側面には、変更機構１０８が設けられている。変更機構１０８はベルト部材１０８ａを有し、ベルト部材１０８ａの係合位置を変更することで、その寸法Ｚを変更することができる。変更機構１０８は、本体部１０１の長手方向Ｌに沿って延びており、その両端部１０１ｄが本体部１０１の外側面に固定されている。
変更機構１０８の寸法Ｚを長くすることで、本体部１０１の撓み量が減少して、本体部１０１の開度Ｘが小さくなる（図８（ａ）参照）。変更機構１０８は、長手方向Ｌの寸法Ｚを変更可能に構成される。変更機構１０８の寸法Ｚを短くすることで、本体部１０１の撓み量が増加して、本体部１０１の開度Ｘが大きくなる（図８（ｂ）参照）。
これにより、人の首の寸法に合わせて本体部１０１の開度Ｘを変更でき、本体部１０１を円滑かつ快適に人の首に装着させることが可能となる。また、人の首の寸法に合わせて本体部１０１の開度Ｘを変更でき、本体部１０１を装着したときの快適性を向上させることが可能となる。
【００２９】
図９（ａ）及び図９（ｂ）に示すように、各延設部１０３を本体部１０１に着脱自在に構成して、各延設部１０３に所定値以上の力が加わったときに延設部１０３が本体部１０１からそれぞれ外れるように構成してもよい。所定値は、人が本体部１０１を首から着脱するときや、登山等で歩行をしているときや、着座等のために姿勢を変更したとき等の通常の使用状態では外れないが、人の歩行や姿勢変更等が阻害されるような過度の負荷がかかる場合には外れるような値であり、布保持具１００の使用事情等を考慮して決定される。
これにより、延設部１０３に枝、人の手、荷物等の障害物が引っかかった場合、延設部１０３が本体部１０１から外れるので、延設部１０３が障害物で引っ張られて、人に過度の負荷がかかることを回避することができる。
なお、各延設部１０３を本体部１０１に装着するための構成については、各延設部１０３のリブ付の凸部１０３ｄを本体部１０１の凹部１０１ｂに挿入する方式であってもよい（図９（ａ）参照）。
また、各延設部１０３の孔部１０３ｃを本体部１０１の突起部１０１ｃに係合させる方式であってもよい（図９（ｂ）参照）。これにより、サイズが異なる複数種類の延設部１０３と、サイズが異なる複数種類の本体部１０１と、を用意して、複数種類の延設部１０３と本体部１０１との組み合わせを適宜変更することで、本体部１０１と突起部１０１ｃとのサイズを相対的に変更できるように構成することができる。また、開度Ｘが異なる複数種類の本体部１０１を用意して、利用する本体部１０１を、開度Ｘの大きさを基準にして選択できるように構成することができる。これにより、利用する本体部１０１の開度Ｘを変更することが可能となる。
また、各延設部１０３の孔部１０３ｃを複数設け、本体部１０１の突起部１０１ｃを複数設け、各延設部１０３の孔部１０３ｃを本体部１０１の突起部１０１ｃに係合させるときの係合対象をずらすことで、本体部１０１の長手方向Ｌの寸法を変更でき、その結果本体部１０１の開度Ｘを変更できるように構成してもよい（図９（ｂ）参照）。
これにより、人が首の寸法に合わせて本体部１０１の長手方向Ｌの寸法を変更でき、本体部１０１を快適に装着することが可能となる。
また、延設部１０３にホイッスル１１６を取り付けることができるように構成してもよい（図１６（ａ）及び図１６（ｂ）参照）。この場合、人は延設部１０３を本体部１０１から外せば、ホイッスル１１６を吹ける状態になる。これにより、ホイッスル１１６を延設部１０３に取り付けることで、人はホイッスル１１６を手で持つことなく携帯することができる。また、緊急時等、ホイッスル１１６を吹く必要が生じたときは、人は延設部１０３を本体部１０１から外せばよく、ホイッスル１１６を吹くための一連の動作（延設部１０３を本体部１０１から外す→外した本体部１０１に取り付けられているホイッスル１１６を吹く）を円滑に行うことができる。
【００３０】
また、本体部１０１の長手方向Ｌの寸法を変更可能に構成してもよい。以下では、本体部１０１の長手方向Ｌの寸法を変更するための機構の一例について説明する。
図１０（ａ）及び図１０（ｂ）に示すように、本体部１０１を分断して、一方の分断箇所には複数の係合部１１１ａを設け、他方の分断箇所には複数の係合部１２１ａを設ける。そして、係合部１１１ａ・１２１ａを互いに係合させることで、本体部１０１の分断箇所が連結されるように構成する。係合部１１１ａ・１２１ａを互いに係合させるとき、係合対象をずらすことで、本体部１０１の長手方向Ｌの寸法が変更される。
これにより、人が首の寸法に合わせて本体部１０１の長手方向Ｌの寸法を変更でき、本体部１０１を快適に装着することが可能となる。
なお、図１０（ａ）に示すように、本体部１０１を一か所で分断してもよく、図１０（ｂ）に示すように、本体部１０１を複数か所で分断してもよい。なお、図１０（ｂ）に示すように、本体部１０１を二分割するように分断する方が、本体部１０１の長手方向Ｌの寸法をより精度よく変更できる点で有利である。
【００３１】
また、図１１（ａ）及び図１１（ｂ）に示すように、本体部１０１に、液体（水等）、及び／又は、保冷剤を収容することができる収容部１０６を形成してもよい。収容部１０６の上部は開口しており、この開口は止め具１０６ａにより開閉自在に構成される。これにより、液体、保冷剤でタオル１を冷却でき、タオル１を介して首回りを冷却することが可能となる。なお、収容部１０６の開口から収容物（特に、小型の収容物）が飛び出すことをより確実に防ぐために、止め具１０６ａを収容部１０６の開口の複数個所に設けてもよい。従って、収容部１０６の開口を開閉自在に構成するための止め具１０６ａは、一か所又は複数個所に設けてもよい。なお、本体部１０１は、湾曲形状を有しており、この湾曲形状により収容部１０６内の収容物を保持できる場合は、収容部１０６の開口に止め具１０６ａを設けなくてもよい。収容部１０６の正面視の形状は、その上部を湾曲させた山型形状であってもよく（図１１（ａ）参照）、その上部をフラットにした略四角形状であってもよい（図１１（ｂ）参照）。収容部１０６の断面視の形状は、幅の広さが一定のストレート状であってもよく（図１２（ａ）参照）、底部に向かうに従って徐々に幅広になるテーパ形状であってもよい（図１２（ｂ）参照）。
また、図１２（ｃ）に示すように、本体部１０１について、収容部１０６に通じる通気孔１０６ｂを形成してもよい。これにより、収容部１０６内の保冷剤が通気孔１０６ｂを介して外気に触れるようになる。また、保冷剤の冷気が通気孔１０６ｂを介してタオル１に供給されるようになる。これにより、より効率的にタオル１を冷却することができる。また、収容部１０６内が湿ってしまうことを抑制することが可能となる。
【００３２】
また、図１３（ａ）及び図１３（ｂ）に示すように、本体部１０１に服固定部１０７を設け、服固定部１０７により本体部１０１を、人が着ている服に固定できるように構成してもよい。服固定部１０７は、例えば、本体部１０１の下部に固定され、人が着ている服の襟を挟持することができるクリップ状の挟持部材で構成される。なお、服固定部１０７は、本実施形態ではクリップを用いたが、その種類、形状等は特に限定されない。本体部１０１は、人の首の後部及び両側部を覆うようにして人の首に掛けられている状態で、服固定部１０７により人が着ている服に固定されることができる。
これにより、本体部１０１が人の首からより外れにくくなり、本体部１０１が人の首に掛けられている状態をより強固に保持することができる。
なお、本実施形態では、服固定部１０７により本体部１０１を、人が着ている服の襟に固定できるように構成したが、本発明はこれに限定されず、人が着ている服の他の箇所に固定できるように構成してもよい。
また、服固定部１０７を設ける場合は、（ｉ）本体部１０１が上記した所定の保持力（弾性力）を有している必要が無く、（ｉｉ）本体部１０１の開度Ｘが、人の首の径以上でもよく、及び／又は、（ｉｉｉ）本体部１０１の長手方向Ｌの寸法Ｍが、人の首周りの全周の寸法Ｎの半分以下でもよい（Ｍ≦Ｎ／２）。これにより、布保持具１００の設計の自由度を向上させることができる。
【符号の説明】
【００３３】
１      タオル
１００  布保持具
１０１  本体部
１０２  中央固定部
１０４  端側固定部
【図１】
2017048480.tif 000003
【図２】
2017048480.tif 000004
【図３】
2017048480.tif 000005
【図４】
2017048480.tif 000006
【図５】
2017048480.tif 000007
【図６】
2017048480.tif 000008
【図７】
2017048480.tif 000009
【図８】
2017048480.tif 000010
【図９】
2017048480.tif 000011
【図１０】
2017048480.tif 000012
【図１１】
2017048480.tif 000013
【図１２】
2017048480.tif 000014
【図１３】
2017048480.tif 000015
【図１４】
2017048480.tif 000016
【図１５】
2017048480.tif 000017
【図１６】
2017048480.tif 000018